(57)【要約】【解決手段】把持柄１に凹凸状の左右両把持面１２を設けている。左右両把持面１２にあっては、前後方向Ｘで把持柄１の頭部７から尻部８にわたり長手方向へ延びる上下両横溝１３，１４を設けているとともに、上下方向Ｚで幅方向へ延びて上下両横溝１３，１４に交差部１８で交差して連通する各縦溝１５，１６，１７を設け、各縦溝１５，１６，１７間には指当て凸部２２を設けている。左右両把持面１２を頭部側領域Ｐと尻部側領域Ｑと中間領域Ｒとに区分した場合、中間領域Ｒで互いに隣接する前後両縦溝１７間の前後方向間隔Ｌ１７は、頭部側領域Ｐ及び尻部側領域Ｑで互いに隣接する前後両縦溝１５，１６間の前後方向間隔Ｌ１５，Ｌ１６よりも大きく設定されているとともに、頭部側領域Ｐと尻部側領域Ｑと中間領域Ｒとにおける各縦溝１５，１６，１７の前後方向寸法Ｇ１５，Ｇ１６，Ｇ１７よりも大きく設定されている。【効果】刃物の使い勝手を良くする。【選択図】図２
2005103037.tif 000002
【特許請求の範囲】
【請求項１】
把持柄の頭部に取着した刃体の厚み方向に沿う左右方向の両側で把持柄に凹凸状の把持面を設けた柄付き刃物において、
この左右両把持面にあっては、刃体の刃先の延設方向に沿う前後方向で把持柄の頭部から尻部にわたり長手方向へ延びる一本以上の横溝を設けるとともに、この左右方向及び前後方向に直交する上下方向で幅方向へ延びてこの横溝に交差部で交差する複数本の縦溝を設け、この横溝と縦溝との交差部でこの横溝と縦溝とを互いに連通するとともに、この各縦溝間には指当て凸部を設け、
この左右両把持面を、把持柄の頭部から尻部へ向けて延びる頭部側領域と、この頭部側領域から尻部へ向けて延びる後側領域とに区分した場合、この頭部側領域と隣接するこの後側領域の隣接領域部分において互いに隣接する前後両縦溝間の前後方向間隔は、この頭部側領域において互いに隣接する前後両縦溝間の前後方向間隔よりも大きく設定されているとともに、前記頭部側領域及び後側領域における各縦溝の前後方向寸法よりも大きく設定されている
ことを特徴とする柄付き刃物。
【請求項２】
把持柄の頭部に取着した刃体の厚み方向に沿う左右方向の両側で把持柄に凹凸状の把持面を設けた柄付き刃物において、
この左右両把持面にあっては、刃体の刃先の延設方向に沿う前後方向で把持柄の頭部から尻部にわたり長手方向へ延びる一本以上の横溝を設けるとともに、この左右方向及び前後方向に直交する上下方向で幅方向へ延びてこの横溝に交差部で交差する複数本の縦溝を設け、この横溝と縦溝との交差部でこの横溝と縦溝とを互いに連通するとともに、この各縦溝間には指当て凸部を設け、
この左右両把持面を、把持柄の尻部から頭部へ向けて延びる尻部側領域と、この尻部側領域から頭部へ向けて延びる前側領域とに区分した場合、この尻部側領域と隣接するこの前側領域の隣接領域部分において互いに隣接する前後両縦溝間の前後方向間隔は、この尻部側領域において互いに隣接する前後両縦溝間の前後方向間隔よりも大きく設定されているとともに、前記尻部側領域及び前側領域における各縦溝の前後方向寸法よりも大きく設定されている
ことを特徴とする柄付き刃物。
【請求項３】
把持柄の頭部に取着した刃体の厚み方向に沿う左右方向の両側で把持柄に凹凸状の把持面を設けた柄付き刃物において、
この左右両把持面にあっては、刃体の刃先の延設方向に沿う前後方向で把持柄の頭部から尻部にわたり長手方向へ延びる一本以上の横溝を設けるとともに、この左右方向及び前後方向に直交する上下方向で幅方向へ延びてこの横溝に交差部で交差する複数本の縦溝を設け、この横溝と縦溝との交差部でこの横溝と縦溝とを互いに連通するとともに、この各縦溝間には指当て凸部を設け、
この左右両把持面を、把持柄の頭部から尻部へ向けて延びる頭部側領域と、把持柄の尻部から頭部へ向けて延びる尻部側領域と、この頭部側領域と尻部側領域との間の中間領域とに区分した場合、この中間領域において互いに隣接する前後両縦溝間の前後方向間隔は、この頭部側領域及び尻部側領域において互いに隣接する前後両縦溝間の前後方向間隔よりも大きく設定されているとともに、前記頭部側領域と尻部側領域と中間領域とにおける各縦溝の前後方向寸法よりも大きく設定されている
ことを特徴とする柄付き刃物。
【請求項４】
前記頭部側領域または尻部側領域において互いに隣接する前後両縦溝間の前後方向間隔は、各縦溝の前後方向寸法よりも大きく設定されていることを特徴とする請求項１または請求項２または請求項３に記載の柄付き刃物。
【請求項５】
前記各縦溝において互いに隣接する前後両縦溝間の前後方向間隔と、この各縦溝の前後方向寸法とは、それぞれ、把持面の上下方向全体にわたり等しくなっていることを特徴とする請求項１から請求項４のうちいずれかの請求項に記載の柄付き刃物。
【請求項６】
前記横溝の前後両端部及び前記縦溝の上下両端部はそれぞれ開放されていることを特徴とする請求項１から請求項５のうちいずれかの請求項に記載の柄付き刃物。
【請求項７】
前記各縦溝においてその上端部と前記横溝との間の縦溝上部は頭部側向きと尻部側向きとのうちいずれかの同じ向きへこの横溝の延設方向に対し傾斜し、前記各縦溝においてその下端部と前記横溝との間の縦溝下部は頭部側向きと尻部側向きとのうちいずれかの同じ向きへこの横溝の延設方向に対し傾斜していることを特徴とする請求項１から請求項６のうちいずれかの請求項に記載の柄付き刃物。
【請求項８】
前記横溝は把持面の上下方向で上下二本並べて配設され、各縦溝においてこの上下両横溝間の縦溝中間部は頭部側向きと尻部側向きとのうちいずれかの同じ向きへこの横溝の延設方向に対し傾斜し、
前記縦溝上部は上側の横溝に交差部で交差して連通するとともに、前記縦溝下部は下側の横溝に交差部で交差して連通し、前記縦溝中間部はこの縦溝上部の交差部及び縦溝下部の交差部に連通している
ことを特徴とする請求項７に記載の柄付き刃物。
【請求項９】
前記各縦溝間の指当て凸部は平坦になっていることを特徴とする請求項１から請求項８のうちいずれかの請求項に記載の柄付き刃物。
【請求項１０】
前記把持柄の頭部から尻部へ向けて延びる所定領域では、左右両把持面間の左右方向間隔が頭部側ほど小さくなるように設定されていることを特徴とする請求項１から請求項９のうちいずれかの請求項に記載の柄付き刃物。
【発明の詳細な説明】
【技術分野】
【０００１】
本発明は、把持柄の両側に凹凸状の把持面を設けた柄付き刃物に関するものである。
【背景技術】
【０００２】
下記特許文献１で、柄１の把持部３の左右両把持面にあっては、前後方向で把持部３の頭部から尻部にわたり長手方向へ延びる複数本の横溝が設けられているとともに、上下方向で幅方向へ延びてこの横溝に対し交差して連通する複数本の縦溝が設けられ、この各縦溝間には指当て凸部が設けられている。使用時、把持部３を手で握った際、手の平が主に上記中間領域で指当て凸部に当てがわれるとともに、手指が上記頭部側領域や上記尻部側領域で横溝及び縦溝に掛けられる。
【特許文献１】実登第３０５４７８６号公報
【発明の開示】
【発明が解決しようとする課題】
【０００３】
しかし、左右両把持面の頭部側領域と尻部側領域と中間領域とにおいてはいずれも、互いに隣接する前後両縦溝間の前後方向間隔、すなわち、指当て凸部の前後方向寸法は、互いに等しく設定されているので、中間領域で指当て凸部の前後方向寸法が比較的小さくなり易く、頭部側領域や尻部側領域で縦溝間の前後方向間隔が比較的大きくなリ易い。そのため、把持部３を手で握った際、指当て凸部に接触する手の平の把持感触が悪くなるとともに、手指が横溝及び縦溝に掛かりにくくなる。従って、刃物の使い勝手が悪くなる。
【０００４】
この発明は、把持面の凹凸形状を改良して刃物の使い勝手を良くすることを目的としている。
【課題を解決するための手段】
【０００５】
後記実施形態の図面（図１〜３及び図４（ａ）に示す第１実施形態、図４（ｂ）と図５（ａ）（ｂ）と図６（ａ）（ｂ）と図７（ａ）（ｂ）と図８（ａ）（ｂ）と図９（ａ）（ｂ）に示す第１実施形態の別例）の符号を援用して本発明を説明する。
【０００６】
＊  請求項１〜５の発明
請求項１〜３の発明にかかる柄付き刃物は下記の共通構成を有している。
この柄付き刃物においては、把持柄（１）の頭部（７）に取着した刃体（２）の厚み方向に沿う左右方向（Ｙ）の両側で把持柄（１）に凹凸状の把持面（１２）を設けている。この左右両把持面（１２）にあっては、刃体（２）の刃先（４）の延設方向に沿う前後方向（Ｘ）で把持柄（１）の頭部（７）から尻部（８）にわたり長手方向へ延びる一本以上の横溝（１３，１４）を設けているとともに、この左右方向（Ｙ）及び前後方向（Ｘ）に直交する上下方向（Ｚ）で幅方向へ延びてこの横溝（１３，１４）に交差部（１８）で交差する複数本の縦溝（１５，１６，１７）を設け、この横溝（１３，１４）と縦溝（１５，１６，１７）との交差部（１８）でこの横溝（１３，１４）と縦溝（１５，１６，１７）とを互いに連通するとともに、この各縦溝（１５，１６，１７）間には指当て凸部（２２）を設けている。
【０００７】
さらに、請求項１の発明では、前記左右両把持面（１２）を、把持柄（１）の頭部（７）から尻部（８）へ向けて延びる頭部側領域（Ｐ）と、この頭部側領域（Ｐ）から尻部（８）へ向けて延びる後側領域（中間領域Ｒ及び尻部側領域Ｑ）とに区分した場合、この頭部側領域（Ｐ）と隣接するこの後側領域（Ｒ，Ｑ）の隣接領域部分（中間領域Ｒ）において互いに隣接する前後両縦溝（１７）間の前後方向間隔（Ｌ１７、前記指当て凸部２２において前後方向Ｘの寸法）は、この頭部側領域（Ｐ）において互いに隣接する前後両縦溝（１５）間の前後方向間隔（Ｌ１５、前記指当て凸部２２において前後方向Ｘの寸法）よりも大きく設定されているとともに、前記頭部側領域（Ｐ）及び後側領域（Ｒ，Ｑ）における各縦溝（１５，１７，１６）の前後方向寸法（Ｇ１５，Ｇ１７，Ｇ１６）よりも大きく設定されている。
【０００８】
さらに、請求項２の発明では、前記左右両把持面（１２）を、把持柄（１）の尻部（８）から頭部（７）へ向けて延びる尻部側領域（Ｑ）と、この尻部側領域（Ｑ）から頭部（７）へ向けて延びる前側領域（中間領域Ｒ及び頭部側領域Ｐ）とに区分した場合、この尻部側領域（Ｑ）と隣接するこの前側領域（Ｒ，Ｐ）の隣接領域部分（中間領域Ｒ）において互いに隣接する前後両縦溝（１７）間の前後方向間隔（Ｌ１７、前記指当て凸部２２において前後方向Ｘの寸法）は、この尻部側領域（Ｑ）において互いに隣接する前後両縦溝（１６）間の前後方向間隔（Ｌ１６、前記指当て凸部２２において前後方向Ｘの寸法）よりも大きく設定されているとともに、前記尻部側領域（Ｑ）及び前側領域（Ｒ，Ｐ）における各縦溝（１６，１７，１５）の前後方向寸法（Ｇ１６，Ｇ１７，Ｇ１５）よりも大きく設定されている。
【０００９】
さらに、請求項３の発明では、前記左右両把持面（１２）を、把持柄（１）の頭部（７）から尻部（８）へ向けて延びる頭部側領域（Ｐ）と、把持柄（１）の尻部（８）から頭部（７）へ向けて延びる尻部側領域（Ｑ）と、この頭部側領域（Ｐ）と尻部側領域（Ｑ）との間の中間領域（Ｒ）とに区分した場合、この中間領域（Ｒ）において互いに隣接する前後両縦溝（１７）間の前後方向間隔（Ｌ１７、前記指当て凸部２２において前後方向Ｘの寸法）は、この頭部側領域（Ｐ）及び尻部側領域（Ｑ）において互いに隣接する前後両縦溝（１５，１６）間の前後方向間隔（Ｌ１５，Ｌ１６、前記指当て凸部２２において前後方向Ｘの寸法）よりも大きく設定されているとともに、前記頭部側領域（Ｐ）と尻部側領域（Ｑ）と中間領域（Ｒ）とにおける各縦溝（１５，１６，１７）の前後方向寸法（Ｇ１５，Ｇ１６，Ｇ１７）よりも大きく設定されている。
【００１０】
請求項１の発明では、把持柄（１）を手で握った際、手の平が主に上記後側領域（Ｒ，Ｑ）の隣接領域部分（Ｒ）で指当て凸部（２２）に当てがわれるとともに、手指が例えば上記頭部側領域（Ｐ）で横溝（１３，１４）及び縦溝（１５）に掛けられる。請求項２の発明では、把持柄（１）を手で握った際、手の平が主に上記前側領域（Ｒ，Ｐ）の隣接領域部分（Ｒ）で指当て凸部（２２）に当てがわれるとともに、手指が例えば上記尻部側領域（８）で横溝（１３，１４）及び縦溝（１６）に掛けられる。請求項３の発明では、把持柄（１）を手で握った際、手の平が主に上記中間領域（Ｒ）で指当て凸部（２２）に当てがわれるとともに、手指が例えば上記頭部側領域（Ｐ）または上記尻部側領域（Ｑ）または頭部側及び尻部側の両領域（Ｐ，Ｑ）で横溝（１３，１４）及び縦溝（１５，１６，１７）に掛けられる。前記隣接領域部分（Ｒ）や中間領域（Ｒ）では縦溝（１７）間の前後方向間隔（Ｌ１７）が大きくなって指当て凸部（２２）における前後方向（Ｘ）の寸法が大きくなるので、把持柄（１）を手で握った際、手の平がこの指当て凸部（２２）に接触して把持感触が良くなる。また、前記頭部側領域（Ｐ）や尻部側領域（Ｑ）では縦溝（１５，１６）間の前後方向間隔（Ｌ１５，Ｌ１６）が小さくなるので、把持柄（１）を手で握った際、手指が横溝（１３，１４）及び縦溝（１５，１６）に掛かり易くなって確実にかつ安定して把持することができる。
【００１１】
従って、請求項１〜３の発明では、刃物の使い勝手を良くすることができる。さらに、横溝（１３，１４）と縦溝（１５，１６，１７）とは縦横へ一連に延びて交差部（１８）で互いに連通するので、把持柄（１）の把持面（１２）に溜まった水分の流れが良くなって水分を把持面（１２）から排出し易くなる。
【００１２】
請求項１または請求項２または請求項３の発明を前提とする請求項４の発明において、前記頭部側領域（Ｐ）または尻部側領域（Ｑ）において互いに隣接する前後両縦溝（１５，１６）間の前後方向間隔（Ｌ１５，Ｌ１６、前記指当て凸部２２において前後方向Ｘの寸法）は、各縦溝（１５，１６，１７）の前後方向寸法（Ｇ１５，Ｇ１６，Ｇ１７）よりも大きく設定されている。
【００１３】
請求項１から請求項４のうちいずれかの請求項の発明を前提とする請求項５の発明において、前記各縦溝（１５，１６，１７）で互いに隣接する前後両縦溝（１５，１６，１７）間の前後方向間隔（Ｌ１５，Ｌ１６，Ｌ１７、前記指当て凸部２２において前後方向Ｘの寸法）と、この各縦溝（１５，１６，１７）の前後方向寸法（Ｇ１５，Ｇ１６，Ｇ１７）とは、それぞれ、把持面（１２）の上下方向（Ｚ）の全体にわたり等しくなっている。
【００１４】
請求項４〜５の発明では、請求項１〜３の発明の効果をさらに発揮して刃物の使い勝手をより一層良くすることができる。
＊  請求項６〜８の発明
請求項１から請求項５のうちいずれかの請求項の発明を前提とする請求項６の発明において、前記横溝（１３，１４）の前後両端部（１３ａ，１４ａ，１３ｂ，１４ｂ）及び前記縦溝（１５，１６，１７）の上下両端部（１９ａ，２０ａ）はそれぞれ開放されている。
【００１５】
請求項７の発明は、請求項１から請求項６のうちいずれかの請求項の発明を前提として下記のように構成されている。
前記各縦溝（１５，１６，１７）においてその上端部（１９ａ）と前記横溝（１３，１４）との間の縦溝上部（１９）は頭部側向き（Ｘ７）と尻部側向き（Ｘ８）とのうちいずれかの同じ向き（Ｘ７，Ｘ８）へこの横溝（１３，１４）の延設方向（Ｘ）に対し傾斜している。前記各縦溝（１５，１６，１７）においてその下端部（２０ａ）と前記横溝（１３，１４）との間の縦溝下部（２０）は頭部側向き（Ｘ７）と尻部側向き（Ｘ８）とのうちいずれかの同じ向き（Ｘ７，Ｘ８）へこの横溝（１３，１４）の延設方向（Ｘ）に対し傾斜している。
【００１６】
請求項８の発明は、請求項７の発明を前提として下記のように構成されている。
前記横溝（１３，１４）は把持面（１２）の上下方向（Ｚ）で上下二本並べて配設されている。各縦溝（１５，１６，１７）においてこの上下両横溝（１３，１４）間の縦溝中間部（２１）は頭部側向き（Ｘ７）と尻部側向き（Ｘ８）とのうちいずれかの同じ向き（Ｘ７，Ｘ８）へこの横溝（１３，１４）の延設方向（Ｘ）に対し傾斜している。前記縦溝上部（１９）は上側の横溝（１３）に交差部（１８）で交差して連通している。前記縦溝下部（１４）は下側の横溝（１４）に交差部（１８）で交差して連通している。前記縦溝中間部（２１）はこの縦溝上部（１９）の交差部（１８）及び縦溝下部（２０）の交差部（１８）に連通している。
【００１７】
請求項６〜８の発明では、把持柄（１）の把持面（１２）に溜まった水分の流れをより一層良くして水分を把持面（１２）から排出し易くなる。
＊  請求項９の発明
請求項１から請求項８のうちいずれかの請求項の発明を前提とする請求項９の発明において、前記各縦溝（１５，１６，１７）間の指当て凸部（２２）は平坦になっている。請求項９の発明では、把持柄（１）を手で握った際、手の平がこの平坦な指当て凸部（２２）に接触して把持感触がより一層良くなる。
【００１８】
＊  請求項１０の発明
請求項１から請求項９のうちいずれかの請求項の発明を前提とする請求項１０の発明において、前記把持柄（１）の頭部（７）から尻部（８）へ向けて延びる所定領域（頭部側領域Ｐと中間領域Ｒと尻部側領域Ｑ）では、左右両把持面（１２）間の左右方向間隔（Ｗ）が頭部（７）側ほど小さくなるように設定されている。請求項１０の発明では、把持柄（１）を手で握り易くなる。
【発明の効果】
【００１９】
本発明は、刃物の使い勝手を良くすることができる。
【発明を実施するための最良の形態】
【００２０】
以下、本発明の第１実施形態にかかる柄付き刃物について図１〜３及び図４（ａ）を参照して説明する。
この柄付き刃物は把持柄１と刃体２とからなる。この刃体２の刃板３において、下端縁には刃先４が前後方向Ｘに沿って延設されているとともに、この刃先４の対辺になる上端縁には背部５が前後方向Ｘに沿って延設され、左右両側には側面６が刃先４と背部５との間で上下方向Ｚへ広がっている。前記把持柄１は頭部７と尻部８との間で前後方向Ｘに沿って延設され、この頭部７に形成された口部９には前記刃板３の顎部１０から後方へ延設された中子１１が挿着されている。この把持柄１においては、刃板３の左右両側面６間を結ぶ厚み方向に沿う左右方向Ｙの両側で凹凸状の把持面１２が設けられている。
【００２１】
前記左右両把持面１２においては、上下方向Ｚで上下二本並べて配設された横溝１３，１４が前後方向Ｘで頭部７から尻部８にわたり長手方向へ延びているとともに、上下方向Ｚで幅方向へ延びる複数本の縦溝１５，１６，１７が配設され、この上下両横溝１３，１４と各縦溝１５，１６，１７とは交差部１８で互いに交差して連通している。各縦溝１５，１６，１７は、上側の横溝１３に交差部１８で交差する縦溝上部１９と、下側の横溝１４に交差部１８で交差する縦溝下部２０と、上下両横溝１３，１４間でこの両交差部１８に交差する縦溝中間部２１とからなる。この上下両横溝１３，１４の前端部１３ａ，１４ａは前方へ開放されているとともに、この上下両横溝１３，１４の後端部１３ｂ，１４ｂは後方へ開放されている。この縦溝上部１９の上端部１９ａは上方へ開放されているとともに、この縦溝下部２０の下端部２０ａは下方へ開放されている。この各縦溝１５，１６，１７において、全ての縦溝上部１９及び全ての縦溝中間部２１はそれぞれ上側の横溝１３の延設方向（前後方向Ｘ）に対し頭部側向きＸ７へ傾斜し、全ての縦溝下部２０及び全ての縦溝中間部２１はそれぞれ下側の横溝１４の延設方向（前後方向Ｘ）に対し尻部側向きＸ８へ傾斜している。この各縦溝上部１９、各縦溝下部２０及び各縦溝中間部２１はそれぞれ互いに平行になっているとともに、各縦溝上部１９と各縦溝下部２０とは互いに平行になっている。この各縦溝上部１９間と各縦溝下部２０間と各縦溝中間部２１間とにはそれぞれ平坦な指当て凸部２２が形成され、各指当て凸部２２の外周はアール部２２ａで各縦溝上部１９や各縦溝下部２０や各縦溝中間部２１に連続している。
【００２２】
前記左右両把持面１２は、把持柄１の頭部７から尻部８へ向けて延びる頭部側領域Ｐと、把持柄１の尻部８から頭部７へ向けて延びる尻部側領域Ｑと、この頭部側領域Ｐと尻部側領域Ｑとの間の中間領域Ｒとに区分されている。この把持柄１の頭部７から尻部８へ向けて延びる所定領域（頭部側領域Ｐから中間領域Ｒを経て尻部側領域Ｑにわたる全領域）では、左右両把持面１２間の左右方向間隔Ｗは頭部７側ほど小さくなるように設定されている。なお、この尻部側領域Ｑ及び中間領域Ｒに該当する後側領域のうち頭部側領域Ｐに対する隣接領域部分、この頭部側領域Ｐ及び中間領域Ｒに該当する前側領域のうち尻部側領域Ｑに対する隣接領域部分は、いずれも、この中間領域Ｒに該当する。
【００２３】
この中間領域Ｒにおいて互いに隣接する前後両縦溝１７間の前後方向間隔Ｌ１７（指当て凸部２２において前後方向Ｘの寸法）は、この頭部側領域Ｐ及び尻部側領域Ｑにおいて互いに隣接する前後両縦溝１５，１６間の前後方向間隔Ｌ１５，Ｌ１６（指当て凸部２２において前後方向Ｘの寸法）よりも大きく設定されている。この前後方向間隔Ｌ１５と前後方向間隔Ｌ１６とは、互いに等しくしても、一方を他方よりも大きくしてもよい。また、これらの前後方向間隔Ｌ１５，Ｌ１６，Ｌ１７は、各縦溝１５，１６，１７の前後方向寸法Ｇ１５，Ｇ１６，Ｇ１７よりも大きく設定されている。これらの前後方向間隔Ｌ１５，Ｌ１６，Ｌ１７とこれらの前後方向寸法Ｇ１５，Ｇ１６，Ｇ１７とは、それぞれ、左右両把持面１２の上下方向Ｚの全体にわたり等しくなっている。この前後方向間隔Ｌ１５，Ｌ１６と前後方向寸法Ｇ１５，Ｇ１６とは、互いに等しくしても、一方を他方よりも大きくしてもよい。この前後方向寸法Ｇ１５と前後方向寸法Ｇ１６とは、互いに等しくしても、一方を他方よりも大きくしてもよい。全ての指当て凸部２２の上下方向寸法Ｍは互いに等しくなっているが、この上下方向寸法Ｍについては互いに異なるようにしてもよい。ちなみに、３ｍｍ≦Ｌ１５≦８ｍｍ、３ｍｍ≦Ｌ１６≦８ｍｍ、８ｍｍ≦Ｌ１７≦２０ｍｍ、１ｍｍ≦Ｇ１５≦３ｍｍ、１ｍｍ≦Ｇ１６≦３ｍｍ、１ｍｍ≦Ｇ１７≦３ｍｍ、２ｍｍ≦Ｍ≦１０ｍｍに設定する。また、１．２≦Ｌ１７／Ｌ１５≦３．６、１．２≦Ｌ１７／Ｌ１６≦３．６、３≦Ｌ１７／Ｇ１７≦１５、１≦Ｌ１５／Ｇ１５≦５、１≦Ｌ１６／Ｇ１６≦５に設定する。
【００２４】
図４（ｂ）に示す別例１、図５（ａ）に示す別例２、図５（ｂ）に示す別例３、図６（ａ）に示す別例４、図６（ｂ）に示す別例５、図７（ａ）に示す別例６、図７（ｂ）に示す別例７、図８（ａ）に示す別例８、図８（ｂ）に示す別例９は、それぞれ、第１実施形態の各縦溝１５，１６，１７において、縦溝上部１９や縦溝下部２０や縦溝中間部２１の傾斜向きを変更したものである。また、図９（ａ）に示す別例１０、図９（ｂ）に示す別例１１は、それぞれ、上下方向Ｚの中央に一本の横溝１３を設けるとともに、この横溝１３に交差して連通する各縦溝１５，１６，１７を設け、縦溝中間部２１を省略して縦溝上部１９及び縦溝下部２０を設けたものである。
【図面の簡単な説明】
【００２５】
【図１】（ａ）は第１実施形態にかかる柄付き刃物を示す正面図であり、（ｂ）は同じく背面図である。
【図２】（ａ）は図１（ａ）の柄付き刃物において把持柄を示す拡大正面図であり、（ｂ）は同じく拡大平面図である。
【図３】（ａ）は指当て凸部の平坦形状を示す図２（ａ）の部分拡大横断面図であり、（ｂ）は同じく図２（ａ）の部分拡大縦断面図である。
【図４】（ａ）は第１実施形態にかかる把持柄の部分正面図であり、（ｂ）は第１実施形態の別例１にかかる把持柄の部分正面図である。
【図５】（ａ）は第１実施形態の別例２にかかる把持柄の部分正面図であり、（ｂ）は第１実施形態の別例３にかかる把持柄の部分正面図である。
【図６】（ａ）は第１実施形態の別例４にかかる把持柄の部分正面図であり、（ｂ）は第１実施形態の別例５にかかる把持柄の部分正面図である。
【図７】（ａ）は第１実施形態の別例６にかかる把持柄の部分正面図であり、（ｂ）は第１実施形態の別例７にかかる把持柄の部分正面図である。
【図８】（ａ）は第１実施形態の別例８にかかる把持柄の部分正面図であり、（ｂ）は第１実施形態の別例９にかかる把持柄の部分正面図である。
【図９】（ａ）は第１実施形態の別例１０にかかる把持柄の部分正面図であり、（ｂ）は第１実施形態の別例１１にかかる把持柄の部分正面図である。
【符号の説明】
【００２６】
１…把持柄、２…刃体、４…刃先、７…頭部、８…尻部、１２…把持面、１３…上側横溝、１４…下側横溝、１３ａ，１４ａ…前端部、１３ｂ，１４ｂ…後端部、１５…頭部側領域の縦溝、１６…尻部側領域の縦溝、１７…中間領域の縦溝、１８…交差部、１９…縦溝上部、１９ａ…上端部、２０…縦溝下部、２０ａ…下端部、２１…縦溝中間部、２２…指当て凸部、Ｐ…頭部側領域、Ｑ…尻部側領域、Ｒ…中間領域、Ｘ…前後方向（横溝延設方向）、Ｘ７…頭部側向き、Ｘ８…尻部側向き、Ｙ…左右方向、Ｚ…上下方向、Ｗ…左右方向間隔、Ｌ１５，Ｌ１６，Ｌ１７…前後方向間隔、Ｇ１５，Ｇ１６，Ｇ１７…前後方向寸法。
【図１】
2005103037.tif 000003
【図２】
2005103037.tif 000004
【図３】
2005103037.tif 000005
【図４】
2005103037.tif 000006
【図５】
2005103037.tif 000007
【図６】
2005103037.tif 000008
【図７】
2005103037.tif 000009
【図８】
2005103037.tif 000010
【図９】
2005103037.tif 000011